(57)【特許請求の範囲】
【請求項１】
吸水性の蒸発板に差込板を差し込んで補強できるように構成し、前記蒸発板を複数枚、所定間隔で隔てて立設状態に保持するとともに、前記蒸発板の下部を水受け部材内の水に浸漬させ、その水を前記蒸発板から蒸発させる構成の水蒸発装置において、
前記差込板を前記蒸発板の水平軸に対して＋３０゜〜＋６０゜又は−３０゜〜−６０゜の傾斜角度となる状態で前記蒸発板に差し込んで補強し、
前記蒸発板に差込溝を設け、前記差込溝が前記傾斜角度に対応した傾斜溝と、前記傾斜溝に前記差込板を導く連通溝とを備えており、前記傾斜溝内に前記差込板を差し込むことで前記差込板を前記蒸発板に固定し、
前記蒸発板を可撓性のある素材で構成し、前記傾斜溝の一部に抜け抵抗片を形成し、前記抜け抵抗片を前記可撓性を利用して変形させながら前記差込板を前記傾斜溝に差し込むとともに、前記傾斜溝に前記差込板を差し込んだ後は変形された前記抜け抵抗片を元の形に戻すようにして製造する水蒸発装置。
【請求項２】
請求項１に記載の水蒸発装置において、前記傾斜溝と前記連通溝とを交差するように設け、前記連通溝から導かれた前記差込板を前記抜け抵抗片を変形させて前記傾斜溝に差し込むときに前記差込板を所定角度、回転させながら差し込む水蒸発装置。
【請求項３】
吸水性の蒸発板に差込板を差し込んで補強できるように構成し、前記蒸発板を複数枚、所定間隔で隔てて立設状態に保持するとともに、前記蒸発板の下部を水受け部材内の水に浸漬させ、その水を前記蒸発板から蒸発させる構成の水蒸発装置において、
前記差込板を前記蒸発板の水平軸に対して＋３０゜〜＋６０゜又は−３０゜〜−６０゜の傾斜角度となる状態で前記蒸発板に差し込んで補強し、
前記蒸発板に差込溝を設け、前記差込溝が前記傾斜角度に対応した傾斜溝と、前記傾斜溝に前記差込板を導く連通溝とを備えており、前記傾斜溝内に前記差込板を差し込むことで前記差込板を前記蒸発板に固定し、
前記蒸発板の一対の横壁近くであって、少なくとも各上下２カ所に前記蒸発板の中心部領域から放射状に延びるような前記傾斜溝を形成し、前記傾斜溝に前記差込板を差し込むことによって、前記蒸発板の中心部領域から前記差込板が放射状に延びるように設けられた水蒸発装置。
【請求項４】
吸水性の蒸発板に差込板を差し込んで補強できるように構成し、前記蒸発板を複数枚、所定間隔で隔てて立設状態に保持するとともに、前記蒸発板の下部を水受け部材内の水に浸漬させ、その水を前記蒸発板から蒸発させる構成の水蒸発装置において、
前記差込板を前記蒸発板の水平軸に対して＋３０゜〜＋６０゜又は−３０゜〜−６０゜の傾斜角度となる状態で前記蒸発板に差し込んで補強し、
前記蒸発板に差込溝を設け、前記差込溝が前記傾斜角度に対応した傾斜溝と、前記傾斜溝に前記差込板を導く連通溝とを備えており、前記傾斜溝内に前記差込板を差し込むことで前記差込板を前記蒸発板に固定し、
前記蒸発板の一対の横壁近くであって、少なくとも各上下２カ所に前記傾斜溝を形成し、上側差込板と下側差込板はそれぞれ谷型に傾斜した水蒸発装置。
【請求項５】
吸水性の蒸発板に差込板を差し込んで補強できるように構成し、前記蒸発板を複数枚、所定間隔で隔てて立設状態に保持するとともに、前記蒸発板の下部を水受け部材内の水に浸漬させ、その水を前記蒸発板から蒸発させる構成の水蒸発装置において、
前記差込板を前記蒸発板の水平軸に対して＋３０゜〜＋６０゜又は−３０゜〜−６０゜の傾斜角度となる状態で前記蒸発板に差し込んで補強し、
前記蒸発板に差込溝を設け、前記差込溝が前記傾斜角度に対応した傾斜溝と、前記傾斜溝に前記差込板を導く連通溝とを備えており、前記傾斜溝内に前記差込板を差し込むことで前記差込板を前記蒸発板に固定し、
前記蒸発板の一対の横壁近くであって、少なくとも各上下２カ所に前記傾斜溝を形成し、上側差込板と下側差込板はそれぞれ山型に傾斜した水蒸発装置。
【発明の詳細な説明】
【技術分野】
【０００１】
本発明はドレン水などの水を蒸発させる水蒸発装置に関する。本発明に係る水蒸発装置はドレン水蒸発装置や加湿器などに使用できるものである。
【背景技術】
【０００２】
従来、冷蔵庫・冷凍機、自動販売機などから発生するドレン水を蒸発させるドレン水蒸発装置が公知である。このドレン水蒸発装置として、複数の蒸発板を所定間隔で垂直に立設させたものが知られている。上記蒸発板は合成繊維や紙材などで構成されており、変形に対する強度を向上させる工夫がいろいろと行われている。下記特許文献に示すように、本特許出願人も強度を向上させるために、並立した蒸発板の横壁の少なくとも上下２カ所に水平方向に差込溝を形成するとともに、それら蒸発板を固定する金属製の補強枠体を設けたドレン水蒸発装置を提案している。
このドレン水蒸発装置であれば、装置全体を菱形に変形させるような力や、押しつぶすような方向の力に対して強い耐性を有するドレン水蒸発装置を提供することができる。
【先行技術文献】
【特許文献】
【０００３】
【特許文献１】特許第４０４９２１３「ドレン水蒸発装置」
【発明の開示】
【発明が解決しようとする課題】
【０００４】
上記従来技術はドレン水蒸発装置の強度補強という点に重点をおいた構成であり、十分な強度が要求される用途に好適に使用できる。しかし、廃棄時に金属枠と紙材の分解作業が必要になるとともに、金属枠を別に加工製造する手間がかかり、製造コストが上昇する課題もあった。
本発明は上記課題に鑑みてなされたものであり、本発明の目的は上記課題を解決できる水蒸発装置を提供することにある。
具体的な目的の一例を示すと、以下の通りである。
（ａ）製造コストを大幅に上昇させず、変形させるような力や押しつぶすような方向の力に対して実用上、十分な強度を有する水蒸発装置を提供する。
なお、上記に記載した以外の発明の課題、その解決手段及びその効果は、後述する明細書内の記載において詳しく説明する。
【課題を解決するための手段】
【０００５】
本発明は多面的に表現できるが、例えば、代表的なものを挙げると、次のように構成したものである。なお、下記各発明において、各符号は後述する実施形態との対応関係を分かりやすくするために一例として示したものであり、本発明の各構成要素は、実施形態に記載した符号に係る構成に限定されないことは言うまでもない。
本発明は、吸水性の蒸発板２に差込板３を差し込んで補強できるように構成し、前記蒸発板２を複数枚、所定間隔で隔てて立設状態に保持するとともに、前記蒸発板２の下部を水受け部材１３内の水に浸漬させ、その水を前記蒸発板２から蒸発させる構成の水蒸発装置１において、
前記差込板３を前記蒸発板２の水平軸１０に対して＋３０゜〜＋６０゜又は−３０゜〜−６０゜の傾斜角度θ，φとなる状態で前記蒸発板２に差し込んで補強し、
前記蒸発板２に差込溝５を設け、前記差込溝５が前記傾斜角度θ，φに対応した傾斜溝８と、前記傾斜溝８に前記差込板３を導く連通溝１２とを備えており、前記傾斜溝８内に前記差込板３を差し込むことで前記差込板３を前記蒸発板２に固定し、
前記蒸発板２を可撓性のある素材で構成し、前記傾斜溝８の一部に抜け抵抗片３１を形成し、前記抜け抵抗片３１を前記可撓性を利用して変形させながら前記差込板３を前記傾斜溝８に差し込むとともに、前記傾斜溝８に前記差込板３を差し込んだ後は変形された前記抜け抵抗片３１を元の形に戻すようにして製造することを特徴とする。
【０００６】
この構成であれば、水平軸に対して前記角度範囲において傾斜した差込板を設けることで、水平方向に設けられた差込板に比べて変形させるような力や押しつぶすような方向の力に対する強度を高めることができるとともに製造コストも抑えることができる。さらに、本発明であれば、金属枠等を用いないので可燃物と不燃物の分解が必要でなく廃棄時においても低コストで処理できる。
この構成であれば、連通溝を備えることによって、蒸発板の外壁から差込板を傾斜溝に導くことができ、水蒸発装置の製造を簡単に行えるようになる。
この構成であれば、傾斜溝内において差込板は抜け抵抗片によって抜け出ることを妨げられるので、外部から力がかかった時でも傾斜溝内の差込板の位置を安定させることができ、水蒸発装置の形状安定性を向上できる。
上記本発明において、できれば、前記傾斜角度θ，φは前記水平軸１０に対して＋４０゜〜＋５０゜又は−４０゜〜−５０゜の範囲に設定することが好ましい。
【０００７】
上記本発明において、前記傾斜溝８と前記連通溝１２とを交差するように設け、前記連通溝１２から導かれた前記差込板３を前記抜け抵抗片３１を変形させて前記傾斜溝８に差し込むときに前記差込板３を所定角度、回転させながら差し込むようにすることもできる。
この構成であれば、傾斜溝と連通溝とを交差するように設けることで、連通溝に導入される方向と逆方向に差込板が移動して抜け出ることを抑制することができる。また、差込板を所定角度回転させながら差し込むようにすることで、外部から力がかかったときに抜け抵抗片が変形して差込板が抜け出ることを抑制することができる。
なお、傾斜溝と連通溝の交差角度と回転させる所定角度は共に略９０゜にすることが好ましい。
【０００８】
本発明は、吸水性の蒸発板２に差込板３を差し込んで補強できるように構成し、前記蒸発板２を複数枚、所定間隔で隔てて立設状態に保持するとともに、前記蒸発板２の下部を水受け部材１３内の水に浸漬させ、その水を前記蒸発板２から蒸発させる構成の水蒸発装置１において、
前記差込板３を前記蒸発板２の水平軸１０に対して＋３０゜〜＋６０゜又は−３０゜〜−６０゜の傾斜角度θ，φとなる状態で前記蒸発板２に差し込んで補強し、
前記蒸発板２に差込溝５を設け、前記差込溝５が前記傾斜角度θ，φに対応した傾斜溝８と、前記傾斜溝８に前記差込板３を導く連通溝１２とを備えており、前記傾斜溝８内に前記差込板３を差し込むことで前記差込板３を前記蒸発板２に固定し、
前記蒸発板２の一対の横壁４，４近くであって、少なくとも各上下２カ所に前記蒸発板２の中心部領域９から放射状に延びるような前記傾斜溝８を形成し、前記傾斜溝８に前記差込板３を差し込むことによって、前記蒸発板２の中心部領域９から前記差込板３が放射状に延びるように設けられたことを特徴とする。
この構成であれば、低い製造コストで水蒸発装置の形態安定性を向上できる。また、蒸発板の中心部領域から差込板が放射状に延びるように設けられることで、補強強度を高めることができる。
【０００９】
本発明は、吸水性の蒸発板２に差込板３を差し込んで補強できるように構成し、前記蒸発板２を複数枚、所定間隔で隔てて立設状態に保持するとともに、前記蒸発板２の下部を水受け部材１３内の水に浸漬させ、その水を前記蒸発板２から蒸発させる構成の水蒸発装置１において、
前記差込板３を前記蒸発板２の水平軸１０に対して＋３０゜〜＋６０゜又は−３０゜〜−６０゜の傾斜角度θ，φとなる状態で前記蒸発板２に差し込んで補強し、
前記蒸発板２に差込溝５を設け、前記差込溝５が前記傾斜角度θ，φに対応した傾斜溝８と、前記傾斜溝８に前記差込板３を導く連通溝１２とを備えており、前記傾斜溝８内に前記差込板３を差し込むことで前記差込板３を前記蒸発板２に固定し、
前記蒸発板２の一対の横壁４，４近くであって、少なくとも各上下２カ所に前記傾斜溝８を形成し、上側差込板３ａ，３ｃと下側差込板３ｂ，３ｄはそれぞれ谷型に傾斜したことを特徴とする。
この構成であれば、低い製造コストで水蒸発装置の形態安定性を向上できる。また、それぞれ谷型に傾斜した構造とすることで、補強強度を高めることができる。
【００１０】
本発明は、吸水性の蒸発板２に差込板３を差し込んで補強できるように構成し、前記蒸発板２を複数枚、所定間隔で隔てて立設状態に保持するとともに、前記蒸発板２の下部を水受け部材１３内の水に浸漬させ、その水を前記蒸発板２から蒸発させる構成の水蒸発装置１において、
前記差込板３を前記蒸発板２の水平軸１０に対して＋３０゜〜＋６０゜又は−３０゜〜−６０゜の傾斜角度θ，φとなる状態で前記蒸発板２に差し込んで補強し、
前記蒸発板２に差込溝５を設け、前記差込溝５が前記傾斜角度θ，φに対応した傾斜溝８と、前記傾斜溝８に前記差込板３を導く連通溝１２とを備えており、前記傾斜溝８内に前記差込板３を差し込むことで前記差込板３を前記蒸発板２に固定し、
前記蒸発板２の一対の横壁４，４近くであって、少なくとも各上下２カ所に前記傾斜溝８を形成し、上側差込板３ａ，３ｃと下側差込板３ｂ，３ｄはそれぞれ山型に傾斜したことを特徴とする。
【発明の効果】
【００１１】
以上説明したように、本発明であれば、製造コストを大幅に上昇させず、変形させるような力や押しつぶすような方向の力に対して実用上、十分な強度を有する水蒸発装置を提供できる。
【発明を実施するための形態】
【００１２】
以下、本発明の実施の形態をドレン水蒸発装置を例にとり、図面に基づき説明する。
図１は本発明の第１実施形態を示すドレン水蒸発装置の斜視図、図２はその正面図、図３はその平面図、図４は図２のＡ−Ａ線縦断面図、図５は図３のＢ−Ｂ線縦断面図である。また、図６は蒸発板の正面図であり、図７はドレン水蒸発装置の使用状態の一例を示す斜視図である。
図１に示すように、このドレン水蒸発装置１は、紙材などの吸水性材料によって構成された蒸発板２と、差込板３とを備えている。蒸発板２は立設状態で多数枚（図１に示す構成では３６枚）、所定間隔で隔てて立設してある。蒸発板２は通常、四角形状を含む矩形状に形成される。但し、蒸発板２の形状は矩形のみならず、例えば山状、扇子状などの各種形状であってもよく、立設状態でドレン水を蒸発できる形状であれば形状は特に限定されない。
【００１３】
図７に示すように、ドレン水蒸発装置１は水受け部材１３の上に載置され、水受け部材１３に溜まった凝縮水、除霜水などのドレン水を蒸発板２から蒸発させるものである。水受け部材１３はドレン水受け皿や、大型冷蔵庫の下部位置に設けられたドレン水受け部などで構成される。
図２及び図６に示すように、本実施形態では蒸発板２は四角形で形成してあり、蒸発板２の一対の横壁４，４（左右両辺）にそれぞれ内側に切り込まれた上側差込溝５ａ，５ｃ、下側差込溝５ｂ，５ｄが形成してある。下側差込溝５ｂ，５ｄはドレン水蒸発装置がドレン水に浸漬された場合にその全体形状を保持できる所定の高さ領域に設定される。
【００１４】
差込板３は補強部材として機能させるために耐水性のある材料で構成してある。そのような耐水性のある材料としては、一般的な合成樹脂素材を使用することができ、例えばポリプロピレンなどが例示できる。図８に示すように差込板３には蒸発板２の並べる方向（長手方向）と直交する方向に多数の切込み１４が形成されており、各蒸発板をその切込み１４によって挟み込むように固定する。切込み１４を保持する支持部２８の幅Ｌ２は切込み１４の幅Ｌ１と略同じ長さに設定されることが多い。
【００１５】
図９に示すように、右側の上側差込溝５ａは、水平方向に沿って形成された水平溝６と、水平溝６の端部から内側斜め上方に延びる接続溝７ａと、接続溝７ａの端部においてＴ字形に形成された傾斜溝８ａとを備えている。傾斜溝８ａは蒸発板２の中心部領域９に向かって延びるように水平軸１０に対して角度θ（略＋４５゜）傾斜して内側斜め下がりに形成してある。この傾斜溝８ａに差し込まれた上側差込板３ａ（図２参照）は内側斜め下がりに傾斜した状態で蒸発板２を補強する。
傾斜溝８の放射方向の長さは差込板３の支持部２８の長さＬ２と略同じ長さに形成されており、傾斜溝８内に支持部２８を嵌入させるように保持する。
なお、前記水平軸６と接続溝７はそれぞれ前記連通溝１２を構成する。
【００１６】
また、同様に図９に示すように、右側の下側差込溝５ｂは、水平方向に沿って形成された水平溝６と、水平溝６の端部から内側斜め下方に延びる接続溝７ｂと、接続溝７ｂの端部においてＴ字形に形成された傾斜溝８ｂとを備えている。傾斜溝８ｂは蒸発板２の中心部９に向かって延びるように水平軸１０に対して角度φ（略−４５゜）傾斜して内側斜め上がりに形成してある。この傾斜溝７ｂに差し込まれた下側差込板３ｂ（図２参照）は内側斜め上がりに傾斜した状態で蒸発板２を補強する。
【００１７】
図９において左側の上側差込溝５ｃ、左側の下側差込溝５ｄは蒸発板２の左右方向の中心線１１に対して左右対称形に形成されているので、結果として各傾斜溝８ａ，８ｂ，８ｃ，８ｄと各差込板３ａ，３ｂ，３ｃ，３ｄ（図２参照）はそれぞれ中心部領域９から放射状に延びる方向に配設される。この場合、傾斜溝８ｃ、傾斜溝８ｄの水平軸１０に対する角度θ、φはそれぞれ略＋４５゜、略−４５゜に設定される。なお、これらの傾斜角度θ、φの範囲は前記したようにθ＝＋３０゜〜＋６０゜又はφ＝−３０゜〜−６０゜の範囲としても補強効果を果たすことができる。但し、上記範囲においてθ＝＋４０゜〜＋５０゜又はφ＝−４０゜〜−５０゜に設定することが好ましい。また、図９に示す実施形態のように略＋４５゜及び略−４５゜に設定することが最も好ましい。
なお、水平軸１０の方向は中心線１１から両外側方向へ延びるように取る。また、水平軸１０に対する傾斜角度の取り方は、中心部領域９を通る水平軸１０の上側をプラス、下側をマイナスと規定する。上記角度範囲で言えば、＋３０゜〜＋６０゜の範囲はθで示し、−３０゜〜−６０゜の範囲をφで示している。
【００１８】
また、本実施形態に係るドレン水蒸発装置であれば、水平軸１０に対する傾斜を上記角度範囲にして差込板３を蒸発板２に差し込んで固定する方法を採用しているので、単に水平方向に差込板３を差し込んで固定した場合に比べて、蒸発板２に対して押潰す方向の力やねじるような力に対して簡単かつ安価に強度を向上できる。
【００１９】
さらに、放射状に差込板３ａ，３ｂ，３ｃ，３ｄを設けることで、水平方向に向かう力や垂直方向に押し潰すように係る力に対しても強い耐性を備えることができる。なお、本実施形態では、傾斜溝８ａと傾斜溝８ｄ、傾斜溝８ｂと傾斜溝８ｃをそれぞれ延長した線が平行線となり、一点に集まらないように各傾斜溝８ａ，８ｂ，８ｃ，８ｄの配設位置が設定してある。
なお、本明細書において略中心部領域９とは、図９において想像線で示すように蒸発板２の重心を含み、所定の広がりを有する中心の領域を言う。
【００２０】
図１０〜図１３は傾斜溝への差込板の挿入手順の一例を示した図である。
まず、図１０において矢印１６，１６に示すように、水平溝６に沿って差込板３ａを内側へ水平に移動させて、水平溝６と接続溝７ａの接続位置に差込板３ａの切込み１４のほぼ全てが入り込むように挿入する。その状態から、図１０に示す矢印１７，１７に示すように接続溝７ａの斜め上方への傾きに沿って差込板３ａを上方へ４５゜回転させつつ、スライドさせながら図１１に示すように傾斜溝８ａの上側辺３０に切込み１４を差し込んだ状態にする。
【００２１】
図１１に示す状態から、図１２の符号１８に示すように水平溝６の上部領域である抜け抵抗片３１をひしゃげるように変形させながら差込板３ａを回転させることによって、図１３に示すように傾斜溝８ａ内に差込板３ａの支持部２８が嵌入される。
この嵌入された状態では、傾斜溝８ａの長手方向の長さは前記支持部２８の幅Ｌ２にほぼ等しいので、切込み１４が蒸発板２に差し込まれていることと相俟って、その差込み位置を強力に保持することができる。
【００２２】
また、図１３に示すように傾斜溝８ａに差込板３ａの支持部２８が嵌入された状態において、抜け抵抗片３１は元の形状に戻るので、差込板３ａの支持部２８に当接した抜け防止用の支持片とすることができ、差込板３ａが抜け出ることを強力に防止することができる。
また、差込板３ａの支持部２８が連通溝１２から傾斜溝８ａに嵌入されるとときに、図１２から図１３に示すように差込板３ａが回転されるので、差込板３ａの支持部２８の傾斜方向と連通溝１２の延びる方向とを略９０゜交差した方向にでき、連通溝１２を逆に辿って差込板３ａが抜け落ちる可能性はなくなる。
しかも、この構成では、差込板３ａの支持部２８にほぼ直交して延びる接続溝７ａの上辺３３及び下辺３４が存在するので、傾斜溝８ａから差込板３ａが飛び出るような移動を抑制する一対の支えとして機能させることができ、ドレン水蒸発装置に力がかかったときに差込板３ａの安定性を高めることができる。
【００２３】
また、この構成では接続溝７ａの上辺３３に対応する抜け抵抗片３１の領域が下辺３４に対応する領域よりも大きく形成されているので、差込板３ａが抜け出るためには、抜け抵抗辺３１をひしゃげるように変形させるには大きい力が必要になり、差込板３ａが抜け出ることを抑制できる。
また、差込板３ａが蒸発板２から脱落する場合を予想すると、差込板３ａを挿入した傾斜溝８に沿って差込板３ａが逆方向に移動して抜け落ちる場合が最も可能性が高いと予想されるが、予め傾斜溝８と連通溝１２は略９０゜で交差するように連通されているので、蒸発板２から脱落する可能性を著しく低減することができる。
【００２４】
この差込板の挿入処理は、差込板、蒸発板の一方に対して他方を相対的に回転させて行うことが可能である。また、挿入処理を手作業で行うことも機械化することも可能である。
また、この実施形態では、抜け抵抗辺３１を変形させ、元の形に戻ることが必要であるから、蒸発板２の材質はある程度の柔軟性があり、折り曲げてもポキンと折れない性質（可撓性）を有することが必要になる。
【００２５】
図１４は本発明の第２実施形態を示すドレン水蒸発装置の部分拡大斜視図である。
この実施形態は最前端及び最後端の蒸発板２とそれらの一つ手前の蒸発板２とを斜めに繋ぐことによって補強する連結部材２１を設けたことを特徴としている。
図１４に示す構成では、この連結部材２１は最前端の蒸発板２における水平溝６の下側辺とその一つ後側の蒸発板２の水平溝６の上側辺を接続するように構成してある。また、これらの連結部材２１は蒸発板２の４つの差込溝５の全てに設けるようにする。
【００２６】
連結部材２１は蒸発板２の材質と同じ紙材で構成してもよく、また、他の可燃性の部材を用いてもよい。連結部材２１と蒸発板２の固着は超音波溶着方式を採用することが好ましい。ホットメルトを使用しないことで耐熱性の心配がなくなる。
この構成であれば、形状が崩れやすい最前端及び最後端の４つの差込溝５を守るように連結部材２１が設けられているので、ドレン水蒸発装置の全体としての形状の安定性向上させることができる。また、蒸発板２の廃棄に際しても超音波溶着方式を採用することで有利になる。
なお、ドレン水蒸発装置の形態安定性を向上させる手段は上記構成の連結部材を設ける構成のみならず、各種の構成を採用することが可能である。その場合、従来、ドレン水蒸発装置において採用されてきた公知の補強方法が採用できる。
【００２７】
図１５は本発明の第３実施形態を示す蒸発板の正面図である。
この実施形態に係る蒸発板は、傾斜溝８の傾斜角度を延長したような連通溝３５を形成したもので、傾斜溝８と連通溝３５が同じ直線上にある構成になっている。
また、上側差込溝の形状を下側差込溝にも採用した構成となっている。つまり、左右の上側差込板３ａ，３ｃと下側差込板３ｂ，３ｄはそれぞれ谷型（Ｖ字形とも言える）に傾斜した構造になっている。この構成であっても傾斜した差込板３を蒸発板２に固定することができる。この構成であると、谷型に傾斜した構造になっているので重力の作用によって連通溝３５から差込板３が抜け出ることを抑制することができる。また、必要により、図１４に示す連結部材２１を用いて差込板３を蒸発板２に接続するなどの抜け防止用の固定手段を設けることで、挿入された差込板３が抜け落ちることを確実に防止することもできる。
本実施形態の構成においても同様に変形に強いドレン水蒸発装置を提供できる。なお、この実施形態においても差込板３の傾斜角度は水平軸に対して略＋４５゜に設定することが好ましい。
【００２８】
図１６（Ａ）（Ｂ）はそれぞれ上記第３実施形態に関係した構成を実現できる差込溝の構成を説明するための図である。
図１６（Ａ）は図１５に示す差込板に対応する連通溝３５を拡大したものであり、この構成では傾斜溝８に相当する部分の溝幅Ｌ３をそのまま外側斜め上方に延設して連通溝３５を形成したものとなっている。
図１６（Ｂ）は傾斜溝８ａに相当する部分の溝幅Ｌ３に対して、連通溝３５の溝幅Ｌ４を小さくして、傾斜溝８ａ内に嵌入された差込板が連通溝３５を逆行することを抑制するようにしている。この構成では上記溝幅Ｌ３と溝幅Ｌ４の差によって差込板の上側端部を抑える一対の抜け抵抗片３６，３６が形成されることになって抜け防止の効果を高めることができる。なお、溝幅Ｌ４を極めて小さいものにして、蒸発板の可撓性による変形によって差込板を差し込むようにしてもよい。
【００２９】
図１７，図１８はそれぞれ本発明の第４実施形態を示す蒸発板の正面図である。
図１７に示す実施形態は、前記した傾斜溝、接続溝、水平溝を用いた差込溝の構成において、上側差込溝と下側差込溝をともに前記谷型に傾斜した差込溝で構成したことを特徴としている。この構成であれば水平方向に差込板を固定する場合に比べて、変形に対する耐性を向上させることができる。
同様に図１８に示すように、図１７に示す構成の上下を逆にした構成も採用することができる。この場合は、第１実施形態における上側差込溝と下側差込溝を山型（Λ型とも言える）の差込溝とした構成となる。
【００３０】
本発明は上記実施形態以外にも本発明の要旨を変更しない範囲で種々の変形を行うことが可能である。
（１）例えば、本発明として適用できる装置として、前記実施形態ではドレン水蒸発装置を例に挙げて説明したが、加湿器などの水蒸発装置としても使用可能である。
（２）差込板の枚数も左右に３個設けて合計６個、左右に４個設けて合計８枚というように差込板の枚数も増やすことが可能である。また、１つの水蒸発装置内で複数種類の傾斜角度を採用することも可能である。
（３）水蒸発装置の水平軸及び垂直軸の方向に差し込まれた差込板と共に本発明に係る傾斜した差込板を有する水蒸発装置も採用することができる。
（４）前記実施形態では図９に一例として示すように傾斜溝８に外壁から差込板３を導く連通溝１２を水平溝６と傾斜溝７とから構成した例を示したが、連通溝１２を円弧又は楕円弧などの各種の曲線溝で構成することも可能である。また、蒸発板２を可撓性のある素材で変形できるもので構成すれば、連通溝１２の幅は必ずしも必要でなく、連通溝１２を単なる切断直線又は切断曲線で構成することも可能である。但し、この場合は差込板を多数枚の蒸発板に差し込む時に抵抗が大きくなり、水蒸発装置の製造に際してある程度の熟練が必要になる。
【図面の簡単な説明】
【００３１】
【図１】本発明の第１実施形態を示すドレン水蒸発装置の斜視図である。
【図２】第１実施形態に係るドレン水蒸発装置の正面図である。
【図３】第１実施形態に係るドレン水蒸発装置の平面図である。
【図４】図４は図２のＡ−Ａ縦断面図である。
【図５】図５は図３のＢ−Ｂ線断面図である。
【図６】第１実施形態に係る蒸発板の正面図である。
【図７】第１実施形態に係るドレン水蒸発装置の使用状態を示す斜視図である。
【図８】第１実施形態における差込板の一例を示す拡大図である。
【図９】第１実施形態に係る差込溝を説明するための蒸発板の拡大図である。
【図１０】差込板の挿入手順の一例を示した図である。
【図１１】差込板の挿入手順の一例を示した図である。
【図１２】差込板の挿入手順の一例を示した図である。
【図１３】差込板の挿入手順の一例を示した図である。
【図１４】本発明の第２実施形態に係るドレン水蒸発装置の拡大部分斜視図である。
【図１５】本発明の第３実施形態に係る蒸発板の正面図である。
【図１６】図１６（Ａ）（Ｂ）はそれぞれ第３実施形態に関係した構成を実現できる差込溝の構成を説明するための図である。
【図１７】本発明の第４実施形態に係る蒸発板の正面図である。
【図１８】本発明の第４実施形態に係る蒸発板の正面図である。
【符号の説明】
【００３２】
１…ドレン水蒸発装置（水蒸発装置）
２…蒸発板
３，３ａ，３ｂ．３ｃ，３ｄ…差込板
４…蒸発板の横壁
５，５ａ，５ｂ，５ｃ，５ｄ…差込溝
７，７ａ，７ｂ，７ｃ，７ｄ…接続溝
８，８ａ，８ｂ，８ｃ，８ｄ…傾斜溝
９…中心部領域
１０…水平軸
１２，３５…連通溝
１３…水受け部材
３１，３６…抜け抵抗片
θ，φ…水平軸に対する傾斜角度
【図１】
0005753011.tif 000002
【図２】
0005753011.tif 000003
【図３】
0005753011.tif 000004
【図４】
0005753011.tif 000005
【図５】
0005753011.tif 000006
【図６】
0005753011.tif 000007
【図７】
0005753011.tif 000008
【図８】
0005753011.tif 000009
【図９】
0005753011.tif 000010
【図１０】
0005753011.tif 000011
【図１１】
0005753011.tif 000012
【図１２】
0005753011.tif 000013
【図１３】
0005753011.tif 000014
【図１４】
0005753011.tif 000015
【図１５】
0005753011.tif 000016
【図１６】
0005753011.tif 000017
【図１７】
0005753011.tif 000018
【図１８】
0005753011.tif 000019